(57)【特許請求の範囲】
【請求項１】
舶用の推進装置と、
前記推進装置の状態情報を検出する検出装置と、
所定の運転設定値を設定することで前記推進装置を制御する制御装置と、を備え、
前記制御装置は、前記検出装置から前記推進装置の状態情報を取得し、取得した前記状態情報に基づいて前記推進装置の故障発生の指標となる故障予兆レベルを算出し、算出した前記故障予兆レベルが所定の閾値を超えたとき、少なくともその直後において前記故障予兆レベルが基準値よりも小さくなるように前記運転設定値を設定する延命制御を実行可能に構成されており、
前記基準値は前記閾値よりも小さく設定されている、舶用推進システム。
【請求項２】
前記閾値及び前記基準値のうち少なくとも一方の値を任意に設定可能な操縦装置をさらに備えた、請求項１に記載の舶用推進システム。
【請求項３】
前記故障予兆レベルが前記閾値を超えたとき、複数のモードの中から１つを選択可能な操縦装置をさらに備え、
選択されたモードに応じて前記基準値が設定される、請求項１に記載の舶用推進システム。
【請求項４】
前記モードを選択する際、前記故障予兆レベルの時間変化を予想した予想変動曲線をモードごとに表示する表示装置をさらに備えた、請求項３に記載の舶用推進システム。
【請求項５】
前記制御装置は、前記故障予兆レベルが前記閾値を超えた後、前記基準値よりも前記故障予兆レベルが小さくなるように前記運転設定値を刻々と変化させる連続制御を行う、請求項１に記載の舶用推進システム。
【請求項６】
前記延命制御を行うか否かを選択可能な操縦装置をさらに備えた、請求項１に記載の舶用推進システム。
【請求項７】
前記推進装置は回転することで推力を発生させるプロペラを有し、
前記制御装置は、前記延命制御において、前記故障予兆レベルが基準値よりも小さくなるように前記プロペラの翼角度及び回転速度のうち一方又は両方を設定する、請求項１乃至６のうちいずれか一の項に記載の舶用推進システム。
【請求項８】
前記制御装置は、前記故障予兆レベルが前記閾値を超えたとき、所定の報知信号を出力する、請求項１乃至７のうちいずれか一の項に記載の舶用推進システム。
【発明の詳細な説明】
【技術分野】
【０００１】
本発明は、舶用推進システムに関する。
【背景技術】
【０００２】
近年、舶用の推進装置に状態監視装置（condition monitoring system；CMS）を設置し、推進装置の状態（例えば、温度及び振動レベル）を監視することが一般的になりつつある。
【先行技術文献】
【特許文献】
【０００３】
【特許文献１】特開２００３−２６９１８３号公報
【発明の概要】
【発明が解決しようとする課題】
【０００４】
推進装置を監視することにより故障の予兆を検知することも可能であるが、故障の予兆を検知したときに運転をすぐに停止することは現実的ではない。例えば、船の航行中に故障の予兆を検知した場合には、ドッグまで船を航行させるなど、しばらくの間は推進装置の運転を続ける必要がある。その際、推進装置をいかに故障させずに運転するかは操船者の判断によるが、その判断は非常に難しい。
【０００５】
以上のような事情から、本発明は故障の予兆を検知した後に、直ちに故障に至らないよう推進装置の運転が可能な舶用推進システムを提供することを目的とする。
【課題を解決するための手段】
【０００６】
本発明の一態様に係る舶用推進システムは、舶用の推進装置と、前記推進装置の状態情報を検出する検出装置と、所定の運転設定値を設定することで前記推進装置を制御する制御装置と、を備え、前記制御装置は、前記検出装置から前記推進装置の状態情報を取得し、取得した前記状態情報に基づいて前記推進装置の故障発生の指標となる故障予兆レベルを算出し、算出した前記故障予兆レベルが所定の閾値を超えたとき、少なくともその直後において前記故障予兆レベルが基準値よりも小さくなるように前記運転設定値を設定する延命制御を実行可能に構成されており、前記基準値は前記閾値よりも小さく設定されている。
【０００７】
ここで、推進装置の故障発生の指標となる故障予兆レベルは一般的に時々刻々と変動し、その変動量は大きい。そのため、故障の予兆があるか否かの判断が難しく、故障予兆レベルがある程度値が大きくなったときにはじめて故障の予兆があると判断することができる。一方で、故障の予兆が判断できる状態のまま運転を続けると、故障予兆レベルが加速度的に増加して故障に至るおそれがある。そこで、上述した構成では、故障予兆レベルが所定の閾値を超えたとき、つまり故障の予兆を検知したときは、閾値ではなく、閾値よりも小さく設定された基準値よりも故障予兆レベルが小さくなるように運転設定値を設定する。これにより、故障の予兆を検知した後に、直ちに故障に至らないよう推進装置の運転が可能となる。
【０００８】
上記の舶用推進システムは、前記閾値及び前記基準値のうち少なくとも一方の値を任意に設定可能な操縦装置をさらに備えていてもよい。
【０００９】
この構成によれば、閾値及び基準値を任意に設定できるため、実際の推進装置の状況や予定航行距離に応じて閾値及び基準値を適切に設定することができる。
【００１０】
上記の舶用推進システムは、前記故障予兆レベルが前記閾値を超えたとき、複数のモードの中から１つを選択可能な操縦装置をさらに備え、選択されたモードに応じて前記基準値が設定されるようにしてもよい。
【００１１】
この構成によれば、モードを選択するだけで、基準値を適切に設定することができる。
【００１２】
上記の舶用推進システムは、前記モードを選択する際、前記故障予兆レベルの時間変化を予想した予想変動曲線をモードごとに表示する表示装置をさらに備えていてもよい。
【００１３】
この構成によれば、予想変動曲線を参考にしてモードを選択することができるため、適切なモードを容易に選択することができる。
【００１４】
上記の舶用推進システムにおいて、前記制御装置は、前記故障予兆レベルが前記閾値を超えた後、前記基準値よりも前記故障予兆レベルが小さくなるように前記運転設定値を刻々と変化させる連続制御を行うようにしてもよい。
【００１５】
この構成によれば、基準値よりも故障予兆レベルが小さい状態を維持することができるため、推進装置の故障発生をより確実に遅延させることができる。
【００１６】
上記の舶用推進システムは、前記延命制御を行うか否かを選択可能な操縦装置をさらに備えていてもよい。
【００１７】
この構成によれば、実際の推進装置の状況や予定航行距離に応じて延命制御を行うか否かを選択できるため、より柔軟な運用が可能となる。
【００１８】
上記の舶用推進システムにおいて、前記推進装置は回転することで推力を発生させるプロペラを有し、前記制御装置は、前記延命制御において、前記故障予兆レベルが基準値よりも小さくなるように前記プロペラの翼角度及び回転速度のうち一方又は両方を設定するようにしてもよい。
【００１９】
このように、推進装置がプロペラを有する場合、延命制御においてプロペラの翼角度及び回転速度のうち一方又は両方を設定することによっても、故障予兆レベルを基準値よりも小さくすることができる。
【００２０】
上記の舶用推進システムにおいて、前記制御装置は、前記故障予兆レベルが前記閾値を超えたとき、所定の報知信号を出力するようにしてもよい。
【００２１】
この構成によれば、操船者は推進装置に故障の予兆があることをすぐに把握することができるため、故障に至る前に適切な対応を行うことができる。
【発明の効果】
【００２２】
上記の構成によれば、故障の予兆を検知した後に、直ちに故障に至らないよう推進装置の運転が可能な舶用推進システムを提供することができる。
【図面の簡単な説明】
【００２３】
【図１】図１は、舶用推進システムのブロック図である。
【図２】図２は、延命制御のフローチャートである。
【図３】図３は、故障予兆レベルの変動曲線である。
【図４】図４は、延命制御を行った場合の故障予兆レベルの変動曲線である。
【図５】図５は、閾値及び基準値を変更した場合における故障予兆レベルの変動曲線である。
【図６】図６は、各モードにおける故障予兆レベルの予想変動曲線である。
【図７】図７は、連続制御を行った場合における故障予兆レベルの変動曲線である。
【発明を実施するための形態】
【００２４】
＜舶用推進システムの全体構成＞
以下、実施形態に係る舶用推進システム１００について説明する。はじめに舶用推進システム１００の全体構成を説明する。図１は、舶用推進システム１００のブロック図である。図１に示すように、本実施形態に係る舶用推進システム１００は、推進装置１０と、検出装置２０と、制御装置３０と、操縦装置４０と、表示装置５０と、を備えている。以下、これらの各構成要素について順に説明する。
【００２５】
推進装置１０は、船を航行させるための推力を発生する装置である。本実施形態の推進装置１０は回転することで推力を発生させるプロペラを有している。さらに、本実施形態の推進装置１０は旋回することで推力の方向を変化させる旋回式の推進装置であって、旋回角度、旋回速度、プロペラの翼角度、回転速度等をそれぞれ設定することができる。ただし、推進装置１０は旋回式に限定されず、どのような形式のものであってもよい。また、推進装置１０の駆動方式は特に限定されない。駆動方式には、ディーゼルエンジン駆動、モータ駆動、ハイブリッド駆動等がある。推進装置１０には制御装置３０から制御信号が送信され、送信された制御信号に基づいて運転が行われる。
【００２６】
検出装置２０は、推進装置１０の状態情報を検出する装置である。例えば推進装置１０の加速度振動を検出する振動センサ、推進装置１０の騒音を検出する騒音センサ、推進装置１０の表面温度を検出する温度センサ、クラッチ圧力やプロペラの変節圧を検出するオイルセンサ、プロペラの回転速度を検出する回転速度計等が、検出装置２０に相当する。検出装置２０で検出された推進装置１０の状態情報は、検出信号として制御装置３０に送信される。
【００２７】
制御装置３０は、所定の運転設定値を設定することで推進装置１０を制御する装置である。運転設定値とは、上述した例では推進装置１０の旋回角度、旋回速度、プロペラの翼角度、及び、回転速度等が相当する。制御装置３０は、プロセッサ、揮発性メモリ、不揮発性メモリ、及び、Ｉ／Ｏインターフェース等を有している。不揮発性メモリに後述する延命制御のプログラム及び種々のデータ等が保存されており、プロセッサがこのプログラム等に基づき揮発性メモリを用いて演算処理を行う。延命制御については後述する。
【００２８】
操縦装置４０は、種々の情報を入力するための装置である。操縦装置４０は操船者によって操作され、操縦装置４０で入力された情報は、入力信号として制御装置３０へ送信される。
【００２９】
表示装置５０は、種々の情報を表示するための装置である。表示装置５０は、制御装置３０から出力された信号に基づいて所定の情報を表示する。表示装置５０で表示された情報は、操船者が確認することができる。
【００３０】
＜延命制御＞
次に、延命制御について説明する。図２は、延命制御のフローチャートである。図２に示す処理は、制御装置３０によって実行される。
【００３１】
図２に示すように制御が開始されると、制御装置３０は検出装置２０から推進装置１０の状態情報を取得する（ステップＳ１）。制御装置３０は状態情報として、例えば推進装置１０の加速度振動、騒音レベル、表面温度、各種オイル圧、旋回速度、及び、プロペラの回転速度等を取得することができる。
【００３２】
続いて、制御装置３０は、ステップＳ１で取得した推進装置１０の状態情報に基づいて故障予兆レベルを算出する（ステップＳ２）。故障予兆レベルとは、推進装置１０の故障発生の指標となる値である。故障予兆レベルがある値を超えると、推進装置１０が故障に至る可能性が高くなる。故障予兆レベルは１つの状態情報に基づいて算出してもよく、複数の状態情報に基づいて算出してもよい。また、状態情報をそのまま故障予兆レベルとしてもよく、所定の数式を用いて故障予兆レベルを算出してもよい。さらに、音や振動などの時間信号に対してＦＦＴ処理を行い、得られた分析周波数帯全体のスペクトルの合算値（オーバーオール値）や、ある周波数帯のスペクトルの合算値（部分オーバーオール値）を故障予兆レベルとしてもよい。このように、故障予兆レベルの算出方法は様々であり、特に限定されない。
【００３３】
続いて、制御装置３０は、ステップＳ２で算出した故障予兆レベルが所定の閾値を超えたか否かを判定する（ステップＳ３）。ここで、図３は、故障予兆レベルの変動曲線を示した図である。推進装置１０に故障のおそれがない場合、故障予兆レベルは変動しつつも一定の範囲に収まっている。一方、推進装置１０に何らかの異常が発生して故障に至るおそれがある場合、故障予兆レベルは加速度的に増加して故障に至る。そのため、故障予兆レベルを監視することにより、推進装置１０の故障の予兆を検知することができる。本実施形態では、故障予兆レベルが閾値を超えたとき、故障の予兆があると判断する。なお、ステップＳ３において、故障予兆レベルが一瞬でも閾値を超えたときに故障予兆レベルが閾値を超えたと判定してもよく、ノイズの影響を考慮して故障予兆レベルが一定時間閾値を超えたときに故障予兆レベルが閾値を超えたと判定してもよい。
【００３４】
閾値は特に限定されないが、本実施形態では、故障予兆レベルの初期値（初期における所定期間の平均値）の５倍の値を閾値に設定する。故障予兆レベルが閾値を超えていないと判定した場合（ステップＳ３でＮＯ）、推進装置１０に故障の予兆が見られないとして、ステップＳ１に戻って各ステップを繰り返す。一方、故障予兆レベルが閾値を超えていると判定した場合（ステップＳ３でＹＥＳ）、推進装置１０に故障の予兆があるとして、ステップＳ４へ進む。
【００３５】
ステップＳ４では、制御装置３０は運転設定値を設定する。具体的には、故障予兆レベルが低下するように運転設定値を設定する。本実施形態では、推進装置１０のプロペラの翼角度及び回転速度のうち一方又は両方を設定する。一般的には、翼角度を小さくするか回転速度を小さくすれば、故障予兆レベルを低下させることができる。ただし、一方を小さくして他方を大きくすることも可能である。さらに、潮流や周囲の環境によっては、両方を大きくする場合も考えられる。また、故障予兆レベルを低下させるには、クラッチの嵌脱状態（油圧）を変更してもよい。さらに、故障予兆レベルが推進装置１０の旋回性能に関する値である場合、推進装置１０の旋回トルクを低下させれば故障予兆レベルを低下させることができる。旋回トルクは、プロペラの翼角度、プロペラの回転速度、旋回速度（旋回時間）、旋回圧力を設定することにより調整が可能である。
【００３６】
なお、ステップＳ４において、制御装置３０は運転設定値を設定するとともに、報知信号を表示装置５０に出力するようにし、表示装置５０は推進装置１０に故障の予兆がある旨の表示を行うようにしてもよい。この場合、操船者は推進装置１０に故障の予兆があることをすぐに把握することができるため、故障に至る前に適切な対応を行うことができる。なお、制御装置３０は、音声出力装置（スピーカ）等の他の出力装置に報知信号を出力し、光、音、振動等によって、推進装置１０に故障の予兆がある旨を操船者に知らせるようにしてもよい。また、表示装置５０は、図３に示すような故障予兆レベルの変動曲線又はこれに対応する図を表示してもよい。
【００３７】
続いて、制御装置３０は、故障予兆レベルが基準値よりも小さくなったか否かを判定する（ステップＳ５）。基準値は、上述した閾値よりも小さく設定されている。本実施形態では、故障予兆レベルの初期値の３倍の値を基準値に設定する。なお、基準値はこれに限定されない。故障予兆レベルが基準値より小さいと判定した場合（ステップＳ５でＹＥＳ）、推進装置１０が故障するリスクは低下したとして、ステップＳ１に戻って各ステップを繰り返す。一方、故障予兆レベルが基準値以上であると判定した場合（ステップＳ３でＮＯ）、ステップＳ４に戻って運転設定値を設定する。つまり、制御装置３０は、故障予兆レベルが基準値よりも小さくなるまで運転設定値の設定を続ける。以上のステップを経た後は、ステップＳ１に戻って各ステップを繰り返す。なお、以上で説明した延命制御は、推進装置１０の駆動方式が異なっても同じように実行される。
【００３８】
＜作用効果等＞
次に、上述した延命制御を行った場合の作用効果等について説明する。図４は、延命制御を行った場合の故障予兆レベルの変動曲線である。図４では、作用効果が理解しやすいように故障予兆レベルを近似的に示している。つまり、故障予兆レベルを滑らかな曲線で示している。この点は、図５乃至図７も同じである。なお、各図に示す故障予兆レベルの変動曲線はあくまでも一例である。
【００３９】
図４の破線で示すように、推進装置１０に故障の予兆が発生したときに何ら対策をとらなければ、故障予兆レベルが加速度的に大きくなり、推進装置１０は故障に至る。これに対し、上述の延命運転が行われた場合には、故障予兆レベルが閾値を超えると（時間Ｔ１）、制御装置３０は推進装置１０に故障の予兆があるとして運転設定値を設定し、故障予兆レベルが基準値よりも小さくなる。
【００４０】
ここで、故障予兆レベルは時々刻々と変動し、その変動量は大きいため（図３参照）、故障の予兆があるか否かの判断が難しく、ある程度値が大きくなったときにはじめて故障の予兆があると判断することができる。そのため、閾値は高く設定する必要がある。一方で、故障の予兆が判断できる状態のまま運転を続けると、故障予兆レベルが加速度的に増加して故障に至るおそれがある。このような理由から、本実施形態では基準値を閾値よりも小さく設定している。
【００４１】
上記のとおり、故障予兆レベルが閾値を超えると、故障予兆レベルは基準値よりも一旦小さくなる。しかしながら、推進装置１０を運転し続けると、図４に示すように故障予兆レベルが閾値を再び超える場合がある（時間Ｔ２）。この場合には、故障予兆レベルが基準値よりも小さくなるように運転設定値を再び設定する。なお、通常は、故障予兆レベルが閾値を超えて運転設定値を更新する回数が増えるに従って、推進装置１０の出力は小さくなってゆく。例えば、故障予兆レベルがはじめて閾値を超えてから２回目に超えるまでの１次延命運転時（時間Ｔ１からＴ２までの間）よりも、２回目に閾値を超えてから３回目に超えるまでの２次延命運転時（時間Ｔ２からＴ３までの間）の方が推進装置１０の出力が小さくなる。
【００４２】
以上のとおり、本実施形態に係る舶用推進システム１００では、故障予兆レベルが閾値を超えると加速度的に大きくなって故障に至るところ、故障予兆レベルが閾値を超えたときには、少なくともその直後において閾値よりも小さく設定された基準値よりも故障予兆レベルが小さくなるように運転設定値を設定する。そのため、本実施形態によれば、故障の予兆を検知した後に、推進装置１０が故障に至らないよう推進装置１０の運転を継続することができる。
【００４３】
＜第１変形例＞
次に、舶用推進システム１００の第１変形例について説明する。第１変形例に係る舶用推進システム１００は、操船者が操縦装置４０を用いて閾値及び基準値のうち少なくとも一方の値を任意に設定することができる。
【００４４】
図５は、閾値及び基準値を変更した場合における故障予兆レベルの変動曲線を示した図である。例えば、延命運転を行うと通常は推進装置１０の出力が低下することから、操船者がより大きな出力を得たい場合であって、かつ、推進装置１０に多少の負荷をかけてもよいと判断した場合には、図５に示すように１次延命運転時において閾値及び基準値を大きくすることが考えられる。
【００４５】
１次延命運転時において閾値を大きくすれば、２次延命運転への移行時期を遅らせることができるため、２次延命運転よりも出力が大きい１次延命運転時の運転設定値が維持される期間を長くすることができる。また、１次延命運転時に基準値を大きくすれば、２次延命運転時に入ったときに、１次延命運転のときよりも出力が大きい運転設定値に設定される。このように、第１変形例によれば、閾値及び基準値を任意に設定できるため、実際の推進装置１０の状況や予定航行距離及び海象条件等に応じて閾値及び基準値を適切に設定することができる。
【００４６】
＜第２変形例＞
次に、舶用推進システム１００の第２変形例について説明する。第２変形例では、操船者が操縦装置４０を用いてモードを選択することにより、モードに応じた基準値を設定することができる。
【００４７】
図６は、各モードにおいける故障予兆レベルの時間変化を予想した予想変動曲線を示した図である。本変形例では、故障予兆レベルが閾値を超えたとき、複数のモードの中から１つを選択することができる。具体的には、基準値が最も大きい第１モード、第１モードよりも基準値が小さい第２モード、及び、第２モードよりも基準値が小さい第３モードの３つのモードの中から１つ選択することができる。
【００４８】
また、モードを選択する際には、表示装置５０は図６で図示するような、故障予兆レベルの予想変動曲線をモードごとに表示する。つまり、表示装置５０に全てのモードの予想変動曲線を表示する。この構成によれば、操船者は予想変動曲線を参考にしてモードを選択することができるため、適切なモードを容易に選択することができる。なお、各変動曲線は、モードを選択する際に故障予兆レベルの変動をイメージできる程度であればよく、故障予兆レベルの予想変動曲線を厳密に算出して表示しなくてもよい。また、表示装置５０は、故障予兆レベルの予想変動曲線を表示する際に、その時点に至るまでの故障予兆レベルの変動曲線又はこれに対応する図を併せて表示してもよい。さらに、モードが選択された場合には、表示装置５０はいずれのモードが選択されたかを表示するようにしてもよい。
【００４９】
＜第３変形例＞
次に、舶用推進システム１００の第３変形例について説明する。第３変形例では、故障予兆レベルが閾値を超えた後、制御装置３０は故障予兆レベルが基準値よりも小さくなるように運転設定値を刻々と変化させる連続制御を行う。連続制御には、いわゆるフィードバック制御の他、フィードフォワード制御も含まれる。
【００５０】
図７は、上記の連続制御を行った場合における、故障予兆レベルの変動曲線を示した図である。図７に示すように、本変形例によれば、故障予兆レベルが閾値を超えた後、基準値よりも小さい状態を維持することができるため、推進装置１０の故障発生をより確実に遅延させることができる。
【００５１】
＜その他＞
上述した変形例は組み合わせることができる。例えば、閾値、基準値、連続制御の有無のいずれも任意に設定又は選択できるようにしてもよい。
【００５２】
また、上述した延命制御を行うか否かを操船者が任意に選択できるようにしてもよい。延命制御を行うか否かは操縦装置４０を用いて設定することができる。この構成によれば、実際の推進装置１０の状況や予定航行距離に応じて延命制御を行うか否かを選択できるため、より柔軟な運用が可能となる。
【符号の説明】
【００５３】
１０  推進装置
２０  検出装置
３０  制御装置
４０  操縦装置
５０  表示装置
１００  舶用推進システム
【要約】
【課題】
故障の予兆を検知した後に、直ちに故障に至らないよう推進装置の運転が可能な舶用推進システムを提供する。
【解決手段】
本発明の一態様に係る舶用推進システムは、舶用の推進装置と、推進装置の状態情報を検出する検出装置と、所定の運転設定値を設定することで推進装置を制御する制御装置と、を備え、制御装置は、検出装置から推進装置の状態情報を取得し、取得した状態情報に基づいて推進装置の故障発生の指標となる故障予兆レベルを算出し、算出した故障予兆レベルが所定の閾値を超えたとき、少なくともその直後において故障予兆レベルが基準値よりも小さくなるように運転設定値を設定し、基準値は閾値よりも小さく設定されている。
【選択図】図１【図１】
0006807999.tif 000002
【図２】
0006807999.tif 000003
【図３】
0006807999.tif 000004
【図４】
0006807999.tif 000005
【図５】
0006807999.tif 000006
【図６】
0006807999.tif 000007
【図７】
0006807999.tif 000008